(57)【要約】【課題】HD DVDコンテンツをDVD-R/RW等へ適切に記録するのに優れた情報記録装置を提供すること。【解決手段】高画質対応のDVD規格に準拠したコンテンツを情報記憶媒体に記録する情報記録装置は、情報記憶媒体に記録された情報を読み取る読取手段と、前記読取手段により読み取られた情報に基づき、前記情報記憶媒体のNBCAが有効か否か、前記情報記憶媒体のサポート最大記録速度が所定記録速度の３倍速以上か否かを判断する判断手段と、前記情報記憶媒体のNBCAが有効で且つ前記情報記憶媒体のサポート最大記録速度が３倍速以上であることを条件として、この条件を満足した前記情報記憶媒体に対して前記高画質対応のDVD規格に準拠したコンテンツをリアルタイム記録する記録手段とを備えている。【選択図】      図１０
2008276877.tif 000002
【特許請求の範囲】
【請求項１】
第１の画質に対応して定義された第１のDVD規格より後発のDVD規格であって、前記第１の画質より高画質な第２の画質に対応して定義された第２のDVD規格に準拠したコンテンツを情報記憶媒体に記録する情報記録装置であって、
情報記憶媒体に記録された情報を読み取る読取手段と、
前記読取手段により読み取られた情報に基づき、前記情報記憶媒体のNBCA（Narrow Burst Cutting Area）が有効か否か、前記情報記憶媒体のサポート最大記録速度が所定記録速度の３倍速以上か否かを判断する判断手段と、
前記情報記憶媒体のNBCAが有効で且つ前記情報記憶媒体のサポート最大記録速度が３倍速以上であることを条件として、この条件を満足した前記情報記憶媒体に対して前記第２の規格に準拠したコンテンツをリアルタイム記録する第１の記録手段とを備えた情報記録装置。
【請求項２】
前記情報記憶媒体のNBCAが有効で且つ前記情報記憶媒体のサポート最大記録速度が３倍速未満であることを条件として、外部記憶装置に対して前記第２のコンテンツをリアルタイム記録し、前記情報記憶媒体に対して前記外部記憶装置に記録された前記第２のコンテンツを３倍速未満の記録速度で記録する第２の記録手段を備えた請求項１に記載の情報記録装置。
【請求項３】
第１の画質に対応して定義された第１のDVD規格より後発のDVD規格であって、前記第１の画質より高画質な第２の画質に対応して定義された第２のDVD規格に準拠したコンテンツを情報記憶媒体に記録する情報記録方法であって、
情報記憶媒体に記録された情報を読み取り、
前記読み取られた情報に基づき、前記情報記憶媒体のNBCA（Narrow Burst Cutting Area）が有効か否か、前記情報記憶媒体のサポート最大記録速度が所定記録速度の３倍速以上か否かを判断し、
前記情報記憶媒体のNBCAが有効で且つ前記情報記憶媒体のサポート最大記録速度が３倍速以上であることを条件として、この条件を満足した前記情報記憶媒体に対して前記第２の規格に準拠したコンテンツをリアルタイム記録する情報記録方法。
【請求項４】
前記情報記憶媒体のNBCAが有効で且つ前記情報記憶媒体のサポート最大記録速度が３倍速未満であることを条件として、外部記憶装置に対して前記第２のコンテンツをリアルタイム記録し、前記情報記憶媒体に対して前記外部記憶装置に記録された前記第２のコンテンツを３倍速未満の記録速度で記録する請求項３に記載の情報記録方法。
【請求項５】
第１の画質に対応して定義された第１のDVD規格より後発のDVD規格であって、前記第１の画質より高画質な第２の画質に対応して定義された第２のDVD規格に準拠したコンテンツが記録された情報記憶媒体を再生する情報再生装置であって、
情報記憶媒体に記録された情報を読み取る読取手段と、
前記読取手段により読み取られた情報に基づき、前記情報記憶媒体のNBCA（Narrow Burst Cutting Area）が有効か否か、前記情報記憶媒体のサポート最大記録速度が所定記録速度の３倍速以上か否かを判断する判断手段と、
前記情報記憶媒体のNBCAが有効で且つ前記情報記憶媒体のサポート最大記録速度が３倍速以上であることを条件として、この条件を満足した前記情報記憶媒体から前記第２の規格に準拠したコンテンツを３倍速再生する再生手段とを備えた情報再生装置。
【請求項６】
前記再生手段は、前記情報記憶媒体のNBCAが有効で且つ前記情報記憶媒体のサポート最大再生速度が３倍速以上であることを条件として、この条件を満足した前記情報記憶媒体から前記第２の規格に準拠したコンテンツを３倍速再生する請求項５に記載の情報再生装置。
【請求項７】
第１の画質に対応して定義された第１のDVD規格より後発のDVD規格であって、前記第１の画質より高画質な第２の画質に対応して定義された第２のDVD規格に準拠したコンテンツが記録された情報記憶媒体を再生する情報再生方法であって、
情報記憶媒体に記録された情報を読み取り、
前記読み取られた情報に基づき、前記情報記憶媒体のNBCA（Narrow Burst Cutting Area）が有効か否か、前記情報記憶媒体のサポート最大記録速度が所定記録速度の３倍速以上か否かを判断し、
前記情報記憶媒体のNBCAが有効で且つ前記情報記憶媒体のサポート最大記録速度が３倍速以上であることを条件として、この条件を満足した前記情報記憶媒体から前記第２の規格に準拠したコンテンツを３倍速再生する情報再生方法。
【請求項８】
前記情報記憶媒体のNBCAが有効で且つ前記情報記憶媒体のサポート最大再生速度が３倍速以上であることを条件として、この条件を満足した前記情報記憶媒体から前記第２の規格に準拠したコンテンツを３倍速再生する請求項７に記載の情報再生装置。
【発明の詳細な説明】
【技術分野】
【０００１】
本発明は、第１の画質に対応して定義された第１のDVD規格より後発のDVD規格であって、前記第１の画質より高画質な第２の画質に対応して定義された第２のDVD規格に準拠したコンテンツをDVD-R/RW等の情報記憶媒体に記録する情報記録装置及び情報記録方法に関する。また、本発明は、前記第２のDVD規格に準拠したHD DVDコンテンツをDVD-R/RW等の情報記憶媒体から再生する情報再生装置及び情報再生方法に関する。
【背景技術】
【０００２】
既に、標準画質に対応して定義された標準DVD規格（第１世代のDVD規格）に準拠した各種製品が大いに普及している。これに対して、ここ数年の画像圧縮技術の向上に伴って、ユーザ及びコンテンツ供給者の両者からさらなる高画質の実現を望む声が挙がり、また、上記高画質の実現以外にも、タイトル本編も含めメニュー画面や特典映像等のコンテンツにおいて、より色彩に富んだメニューやインタラクティブ性の向上等、コンテンツ内容の拡充によるユーザへのより魅力的なコンテンツの提供環境がコンテンツ供給者から望まれ、このような要望から、より魅力的なコンテンツの提供を実現するために、HD DVD規格（第２世代のDVD規格）が策定されている（特許文献１参照）。
【特許文献１】特開２００５−０７２１３６
【発明の開示】
【発明が解決しようとする課題】
【０００３】
上記のように、HD DVD規格に準拠したHD DVDコンテンツの提供環境が整う一方で、標準DVD規格に準拠したメディア（DVD-R/RW等）の利便性が依然として高い。そこで、HD DVDコンテンツをDVD-R/RW等へ適切に記録する、あるいはDVD-R/RW等に記録されたHD DVDコンテンツを適切に再生する技術が望まれている。
【０００４】
本発明の目的は、上記課題を解決するためになされたものであり、HD DVDコンテンツをDVD-R/RW等へ適切に記録するのに優れた情報記録装置及び情報再生装置を提供することにある。また、本発明の目的は、DVD-R/RW等に記録されたHD DVDコンテンツを適切に再生するのに優れた情報再生装置及び情報再生方法を提供することにある。
【課題を解決するための手段】
【０００５】
この発明の情報記録装置、情報記録方法、情報再生装置、及び情報再生方法は、以下のように構成されている。
【０００６】
（１）この発明の情報記録装置は、第１の画質に対応して定義された第１のDVD規格より後発のDVD規格であって、前記第１の画質より高画質な第２の画質に対応して定義された第２のDVD規格に準拠したコンテンツを情報記憶媒体に記録する情報記録装置であって、情報記憶媒体に記録された情報を読み取る読取手段と、前記読取手段により読み取られた情報に基づき、前記情報記憶媒体のNBCAが有効か否か、前記情報記憶媒体のサポート最大記録速度が所定記録速度の３倍速以上か否かを判断する判断手段と、前記情報記憶媒体のNBCAが有効で且つ前記情報記憶媒体のサポート最大記録速度が３倍速以上であることを条件として、この条件を満足した前記情報記憶媒体に対して前記第２の規格に準拠したコンテンツをリアルタイム記録する第１の記録手段とを備えている。
【０００７】
（２）この発明の情報記録方法は、第１の画質に対応して定義された第１のDVD規格より後発のDVD規格であって、前記第１の画質より高画質な第２の画質に対応して定義された第２のDVD規格に準拠したコンテンツを情報記憶媒体に記録する情報記録方法であって、情報記憶媒体に記録された情報を読み取り、前記読み取られた情報に基づき、前記情報記憶媒体のNBCAが有効か否か、前記情報記憶媒体のサポート最大記録速度が所定記録速度の３倍速以上か否かを判断し、前記情報記憶媒体のNBCAが有効で且つ前記情報記憶媒体のサポート最大記録速度が３倍速以上であることを条件として、この条件を満足した前記情報記憶媒体に対して前記第２の規格に準拠したコンテンツをリアルタイム記録する。
【０００８】
（３）この発明の情報再生装置は、第１の画質に対応して定義された第１のDVD規格より後発のDVD規格であって、前記第１の画質より高画質な第２の画質に対応して定義された第２のDVD規格に準拠したコンテンツが記録された情報記憶媒体を再生する情報再生装置であって、情報記憶媒体に記録された情報を読み取る読取手段と、前記読取手段により読み取られた情報に基づき、前記情報記憶媒体のNBCAが有効か否か、前記情報記憶媒体のサポート最大記録速度が所定記録速度の３倍速以上か否かを判断する判断手段と、前記情報記憶媒体のNBCAが有効で且つ前記情報記憶媒体のサポート最大記録速度が３倍速以上であることを条件として、この条件を満足した前記情報記憶媒体から前記第２の規格に準拠したコンテンツを３倍速再生する再生手段とを備えている。
【０００９】
（４）この発明の情報再生方法は、第１の画質に対応して定義された第１のDVD規格より後発のDVD規格であって、前記第１の画質より高画質な第２の画質に対応して定義された第２のDVD規格に準拠したコンテンツが記録された情報記憶媒体を再生する情報再生方法であって、情報記憶媒体に記録された情報を読み取り、前記読み取られた情報に基づき、前記情報記憶媒体のNBCAが有効か否か、前記情報記憶媒体のサポート最大記録速度が所定記録速度の３倍速以上か否かを判断し、前記情報記憶媒体のNBCAが有効で且つ前記情報記憶媒体のサポート最大記録速度が３倍速以上であることを条件として、この条件を満足した前記情報記憶媒体から前記第２の規格に準拠したコンテンツを３倍速再生する。
【発明の効果】
【００１０】
本発明によれば、HD DVDコンテンツをDVD-R/RW等へ適切に記録するのに優れた情報記録装置及び情報再生装置を提供できる。また、本発明によれば、DVD-R/RW等に記録されたHD DVDコンテンツを適切に再生するのに優れた情報再生装置及び情報再生方法を提供できる。
【発明を実施するための最良の形態】
【００１１】
以下、図面を参照し、本発明の実施形態について説明する。
【００１２】
図１０は、本実施形態に係る情報記録再生装置の概略構成を示すブロック図である。
【００１３】
図１０に示す情報記録再生装置は、DVD-R/RW等の光ディスク１０及びハードディスクドライブ（ＨＤＤ）部１４に対して選択的に情報を記録することができる。また、外部からの情報を一時的にハードディスクドライブ部１４に記録し、次にハードディスクドライブ部１４に記録された情報を光ディスク１０へ移動（記録）することもできる。なお、ハードディスクドライブ部１４（外部記憶装置）は、情報記録再生装置の必須構成ではなく、オプション構成である。さらに、この情報記録再生装置は、情報の記録先として、例えば半導体メモリをオプション構成として備えることもできる。情報の一時記録先をハードディスクドライブ部１４の替わりに半導体メモリとすることもできる。
【００１４】
図１０に示すように、情報記録再生装置は、ディスクドライブ部１２、ハードディスクドライブ部１４の２種類のディスクドライブ部を備える。ディスクドライブ部１２は、光ディスク１０を回転駆動し、情報の読み書きを実行する。ディスクドライブ部１２は、光ディスク１０に対する回転制御系、レーザ駆動系、光学系などを備える。また、ハードディスクドライブ部１４は、ハードディスクを駆動し、情報の読み書きを実行する。
【００１５】
また、情報記録再生装置は、データプロセッサ部１６を備え、このデータプロセッサ部１６は、ディスクドライブ部１２及びハードディスクドライブ部１４に記録データを供給し、また、ディスクドライブ部１２及びハードディスクドライブ部１４により読み取られた読取データを受け取る。データプロセッサ部１６は、所定単位の記録データまたは再生データを処理し、バッファ回路、変調・復調回路、エラー訂正回路などを備える。
【００１６】
また、情報記録再生装置は、エンコーダ部２０、フォーマッタ２２、デコーダ部３６、制御部２６を備えている。エンコーダ部２０は、信号入力部１８からの信号をエンコードする。エンコーダ部２０からのエンコード出力信号は、フォーマッタ２２にて所定のフォーマットに変換され、データプロセッサ部１６に供給される。なお、フォーマッタ２２には、バッファメモリ２４が接続されており、エンコード出力信号がバッファリングされる。なお、エンコーダ部２０からのエンコード出力信号が、直接ハードディスクドライブ部１４のハードディスクに記録される場合もある。なお、エンコーダ部２０は、エンコードされたデジタルビデオ信号及びデジタルオーディオ信号が直接入力されるときは、これらエンコードされたデジタルビデオ信号及びデジタルオーディオ信号を直接フォーマッタ２２に供給する。
【００１７】
フォーマッタ２２からのフォーマットデータは、データプロセッサ部１６を介してハードディスクドライブ部１４又はデータディスクドライブ部１２に供給され、ハードディスク又は光ディスク１０に記録される。またハードディスクあるいは光ディスク１０に記録されたフォーマットデータは、データプロセッサ部１６、ディスクドライブ部１２を介して光ディスク１０あるいはハードディスクに記録することもできる（ハードディスク→光ディスク／光ディスク→ハードディスク）。また、データプロセッサ部１６は、ハードディスクあるいは光ディスク１０に記録されているデータの一部を削除したり、データの一部をつなぎあわせたりする編集処理を行うこともできる。
【００１８】
制御部２６は、ＭＰＵ（マイクロプロセッシングユニット）またはＣＰＵ（セントラルプロセッシングユニット）と、制御プログラム等が書きこまれたＲＯＭと、プログラム実行に必要なワークエリアを提供するためのＲＡＭとを備えている。ＭＰＵの実行結果のうち、ユーザに通知すべき内容は、情報記録再生装置の表示部２８に表示されるか、または情報記録再生装置に接続されるモニターディスプレイにＯＳＤ（オンスクリーンディスプレイ）表示される。また、制御部２６は、ネットワークインターフェース３２を介して、外部ネットワークに接続することが可能である。これにより、外部ネットワークを介して電子番組ガイド（Electronic Program Guide）を取り込むことも可能である。
【００１９】
また、制御部２６は、ＳＴＣ（システムタイムクロック）３４からの時間データに基づいて、ディスクドライブ部１２、ハードディスクドライブ部１４、データプロセッサ部１６、エンコーダ部２０、デコーダ部３６などを制御する。なお、録画や再生の動作は、ＳＴＣ３４からのタイムクロックに同期して実行されるが、それ以外の処理はＳＴＣ３４とは独立したタイミングで実行されてもよい。
【００２０】
また、制御部２６には操作入力部３０からの入力信号が入力される。この操作入力部３０は、例えば情報記録再生装置の本体上に設けた操作スイッチ類及び本体から独立したリモートコントローラである。或いは、この操作入力部３０は、情報記録再生装置と有線通信あるいは無線通信により接続されるパーソナルコンピューターであってもよい。この操作入力部３０を介しての操作入力に基づき、情報記録再生装置は、再生、停止、録画、編集などを実行する。
【００２１】
デコーダ部３６は、メモリ、ビデオデコーダ、オーディオデコーダ、ビデオプロセッサを備えている。デコーダ部３６から出力されるデコード出力信号は、信号出力部３８から外部へ出力される。
【００２２】
図１は、図１０に示す情報記録再生装置による３倍速再生の線速度とデータの転送速度の関係を示す図である。
【００２３】
情報記録再生装置は、DVD-R/RW/RAMディスクにHD DVD-Videoコンテンツ及びHD DVD Video Recording(HD DVD-VR)コンテンツを記録再生するために、DVD-R/RWディスクにHD DVD-Videoコンテンツ用のディレクトリ 及び／又は HD DVD-VRコンテンツ用のディレクトリを作成し、そのディレクトリの中にHD DVD-VideoアプリフォーマットのHD DVD-Videoコンテンツ 及び／又は HD DVD-VRアプリフォーマットのHD DVD-VRコンテンツを記録する。
【００２４】
HD DVD-Videoコンテンツは、ユーザビットデータ転送速度として33.24Mbpsが要求される。これは現行DVDのユーザビットデータ転送速度の3倍に相当する。従ってこのデータ転送速度を確保するためには、DVD-R/RW/RAMディスクを3倍速以上で回転させる必要がある。DVD-R/RWディスクは、単層ディスクで10.47m/s以上、2層ディスクで11.52m/s以上の線速度（3倍速以上）でディスクを安定に回転させ、ユーザデータの記録再生をする必要がある。
【００２５】
HD DVD-VRコンテンツの場合は、ユーザビットデータ転送速度として33.24Mbpsのほかに長時間記録用に 22.16Mbps, 11.08Mbpsの記録モードが選べる。33.24Mbpsで記録再生するためにはHD DVD-Videoコンテンツと同様に3倍速以上でディスクを安定に回転させユーザデータの記録再生をする必要がある。必要なデータビットレートは図１に示す通りである。
【００２６】
３倍速でディスクを回転させるため、ディスクのダイナミックインバランス（動平衡）は１倍速再生のディスクより、小さくする必要があり、12cmディスクで0.0044ｇ・ｍ、8cmディスクで0.0020ｇ・ｍ、以下とすることが望ましい。
【００２７】
図２は、図１０に示す情報記録再生装置のディスクドライブ部１２、データプロセッサ部１６、及びデコーダ部３６により構成されるデータ再生回路の一例を示す図である。
【００２８】
このデータ再生回路は、DVD-R/RWを３倍速で再生することができる。図２に示すようにデータ再生回路は、４分割光検出器１０１、増幅器１０２、ＡＣカップリング１０３、イコライザー１０４、ローパスフィルタ１０５、レベル検出器１０６、位相検出器１０７、復調器１０８、ジッタ測定器１０９を備えている。
【００２９】
ディスクドライブ部１２は光学ピックアップを備え、さらに光学ピックアップは４分割光検出器１０１を備える。光学ピックアップからの光ビームは光ディスク１０に収束され、光ディスク１０の記録膜からの反射光が４分割光検出器１０１で検出される。４分割光検出器１０１からの和信号は増幅器１０２で所定の信号振幅に増幅され、ＡＣカップリング１０３でＨＦ信号が抽出される。抽出されたＨＦ信号は、３倍速再生用のイコライザー１０４を通過され周波数特性が調整される。次にローパスフィルター１０５で雑音成分が除去され、レベル検出器（スライサー）１０６で２値化され、位相検出器１０７でＰＬＬクロックが検出される。その２値化信号が８-１６復号器１０８で処理されビットデータが再生される。復号器１０８で処理する前の２値化信号のＰＬＬクロックに対するジッタは、ジッタ検出器１０９で測定される。
【００３０】
DVD-R/RWディスクの１倍速再生のときのジッタは８．０％以下が仕様で規定されている。３倍速再生の場合もジッタは８．０％以下となることが望ましい。本実施形態の情報記録再生装置の信号処理回路は１倍速再生のジッタで再生システムのマージンが設計されている。３倍速再生の場合、１倍速再生と同じマージンを確保してシステムが使えることが望ましいからである。
【００３１】
図３は、３倍速再生のときのイコライザー特性の一例を示す図である。
【００３２】
DVD-R/RWを３倍速で再生するとき、再生周波数帯域は３倍となるので、そのときに再生信号を２値化するときのイコライザー１０４の周波数帯域も１倍速再生の場合の３倍となる。１倍速再生では、７.０MHzより低い周波数の信号のイコライザー特性が規定されている。３倍速再生の場合は、その３倍の２１．０MHzより低い周波数の信号のイコライザーを規定する必要がある。
【００３３】
イコライザー１０４とローパスフィルター１０５を用いた場合、利得の許容変動範囲は１倍速再生と同様に±１dB以内であることが望ましい。
【００３４】
また群遅延の許容変動範囲は、周波数が高くなる分を考慮して１倍速再生の場合より厳しくする必要があり、１９．５MHz以下で±１．５ns以下が望ましい。
【００３５】
３倍速再生の場合の利得は、１倍速再生の場合と等価にする必要があり、１５．０MHzの利得は０MHzの利得より３．２±０．３dBとすることが望ましい。
【００３６】
３倍速再生の場合のローパスフィルター１０５は、１倍速再生の場合のものより３倍高い周波数とする必要があり、６次ベッセルフィルターを用いた場合、−３dBのカットオフ周波数は２４．６MHzとすることが望ましい。
【００３７】
図４は、図１０に示す情報記録再生装置の光ディスクドライブ１２に含まれる３倍速再生用サーボ回路の一例を示す図である。
【００３８】
３倍速再生用サーボ回路は、４分割光検出器１０１、増幅器２０１ａ、２０１ｂ、イコライザー２０２ａ、２０２ｂ、レベル比較器２０３ａ、２０３ｂ、位相比較器２０４、ローパスフィルター２０５ａ、２０５ｂ、差動増幅器２０６を備えている。
【００３９】
DVD-R/RWの場合、記録トラック（グルーブ）にデータが記録される。記録後の記録トラックはＤＰＤ（位相差検出）でトラッキングされる。４分割光検出器１０１を構成する光検出器ＩａとＩｃの和信号Ａと、光検出器ＩｂとＩｄの和信号Ｂの差動信号を用いる。
【００４０】
和信号Ａと和信号Ｂはそれぞれ増幅器２０１ａ、２０１ｂで所定の振幅に増幅される。その後、イコライザー２０２ａ、２０２ｂで周波数特性が調整され、レベル検出器２０３ａ、２０３ｂで所定閾値での２値化波形が生成される。和信号Ａと和信号Ｂの２値化波形の位相差信号が位相比較器２０４で抽出される。位相比較器２０４では和信号Ａが和信号Ｂより進んだ位相の位相差信号Ｃ１と、遅れた位相の位相差信号Ｃ２が抽出される。位相差信号Ｃ１とＣ２をそれぞれローパスフィルター２０５ａ、２０５ｂを通して高周波成分を除去し、差動増幅器２０６で位相差信号を生成する。その位相差信号をトラッキングエラー信号としてトラッキング制御を行う。
【００４１】
１倍速再生の場合のローパスフィルター２０５ａ、２０５ｂのカットオフ周波数は３０kHzであるが、３倍速再生の場合は周波数を高くする必要があり、１次フィルターを使用のとき−３dBのカットオフ周波数は５６kHzとすることが望ましい。
【００４２】
図５は、３倍速再生用の軸方向のフォーカスサーボ特性の一例を示す図である。
【００４３】
１倍速再生のときのディスクの最大面振れ加速度は８m/s2であるが、３倍速再生ではディスクのマージンを確保するため最大３２m/s2まで対応することが望ましい。ディスクの面振量は、３００μ以内が望ましく、フォーカスサーボが有効のときのフォーカスエラー量（フォーカスサーボ残差量）は、１０kHz以下で測定した場合±０．２３umを超えない範囲であることが望ましい。このときのカットオフ周波数は−３dBで４．０kHzとなる。
【００４４】
図６は、半径方向のトラッキングサーボ特性の一例を示す図である。
【００４５】
１倍速再生のときのディスクの最大偏芯加速度は１．１m/s2であるが、３倍速再生ではディスクのマージンを確保するため最大４．０m/s2まで対応することが望ましい。トラックの偏芯量は、５０μ以内が望ましく、トラックサーボが有効のときのトラッキングエラー量（トラックサーボ残差量）は、２．１kHz以下で測定した場合に±０．０２２umを超えない範囲であることが望ましい。このときのカットオフ周波数は−３dBで４．５kHzとなる。
【００４６】
図７は、図１０に示す情報記録再生装置による３倍速記録が可能なディスク判別処理の一例を示す図である。
【００４７】
HD DVD/VRコンテンツを記録するためは、ディスクのNBCA（Narrow Burst Cutting Area）が有効である必要がある。情報記録再生装置の制御部２６は、セットされたディスク(ＳＴ１０１）のNBCAが有効であるかどうかを判断する(ＳＴ１０２）。つまり、情報記録再生装置のディスクドライブ１２及びデータプロセッサ部１６が、DVD-R/RWディスク上のNBCAフラグを読み取って、制御部２６が、NBCAの有効性を判断する(ＳＴ１０２）。制御部２６は、セットされたディスクのNBCAが有効（NBCAが記録されている）と判断し(ＳＴ１０２、ＹＥＳ)、さらにそのディスクの最大記録速度が３倍速以上（所定記録速度（標準記録速度）の３倍速以上）であれば(ＳＴ１０３）(ＳＴ１０４、ＹＥＳ)、ディスクドライブ１２及びデータプロセッサ部１６が、３倍速の記録速度でそのディスクにHD DVD/VRコンテンツを記録する(ＳＴ１０４）。
【００４８】
ディスク上には、記録速度を規定した仕様書のレビジョン番号（記録速度情報）が記録されている。つまり、ディスクドライブ１２及びデータプロセッサ部１６は、このレビジョン番号を読み取って、制御部２６は、ディスクが何倍速で記録できるかを判断する。３倍速以上の記録速度情報がサポートされていれば、ディスクドライブ１２及びデータプロセッサ部１６が、HD DVD/VRコンテンツをリアルタイムでディスクに３倍速記録する。
【００４９】
制御部２６が、セットされたディスクのNBCAが無効（NBCAが記録されていない）と判断すると(ＳＴ１０２、ＮＯ)、HD DVD/VRコンテンツをリアルタイムでディスクに記録することはできない(ＳＴ１０６）。
【００５０】
HD DVD/VRコンテンツは、コンテンツの著作権保護のためAACSと呼ばれる著作権の保護方式が使用される。ＡＡＣＳでNBCAの情報を参照するためである。また、NBCAが有効であるが(ＳＴ１０２、ＹＥＳ)、ディスクが３倍速より小さい記録速度しかサポートしていない場合も(ＳＴ１０４、ＮＯ)、HD DVD/VRコンテンツをリアルタイムでディスクに３倍速記録できない(ＳＴ１０７）。
【００５１】
図８は、本実施形態の情報記録再生装置による３倍速記録より小さい記録速度しかサポートしていないディスクに対するHD DVD/VRコンテンツの記録処理を示すフローチャートである。
【００５２】
情報記録再生装置の制御部２６が、セットされたディスク(ＳＴ２０１）のNBCAが有効（NBCAが記録されている）と判断し(ＳＴ２０２、ＹＥＳ)、さらにそのディスクの最大記録速度が３倍速未満（所定記録速度（標準記録速度）の３倍速未満）であると判断すると(ＳＴ２０３）(ＳＴ２０４、ＮＯ)、３倍速の記録速度でそのディスクにHD DVD/VRコンテンツを記録することはできない(ＳＴ２０７）。つまり、ディスクがサポートする記録速度が３倍速より小さい場合、ディスクに対してHD DVD/VRコンテンツをリアルタイムで３倍速記録することはできない(ＳＴ２０７）。
【００５３】
そこで、制御部２６及びデータプロセッサ部１６は、ハードディスクドライブ部１４にHD DVD/VRコンテンツを一時記憶し、データプロセッサ部１６及びディスクドライブ部１２は、ハードディスクドライブ部１４に記録されたHD DVD/VRコンテンツを３倍速より小さいデータ転送速度でディスクに記録する。
【００５４】
例えば、２倍速記録のディスクに対してデータプロセッサ部１６に記録されたHD DVD/VRコンテンツを２倍速相当でデータを転送する。これにより、２倍速記録のディスクにHD DVD/VRコンテンツを記録することができる。
【００５５】
図９は、図１０に示す情報記録再生装置によるディスクに記録されたHD DVD/VRコンテンツの再生処理を示すフローチャートである。
【００５６】
ディスクに記録されたHD DVD/VRコンテンツを再生するためは、ディスクのNBCA（Narrow Burst Cutting Area）が有効である必要がある。NBCAが無効である場合はAACSが無効なのでこのディスクに記録されたHD DVD/VRのコンテンツは再生できない。NBCAが有効である場合はAACSは有効である。情報記録再生装置の制御部２６は、セットされたディスク(ＳＴ３０１）のNBCAが有効であるかどうかを判断する(ＳＴ３０２）。つまり、ディスクドライブ１２及びデータプロセッサ部１６が、DVD-R/RWディスク上のNBCAフラグを読み取って、制御部２６は、NBCAが有効か否かを判断する(ＳＴ３０２）。制御部２６が、セットされたディスクのNBCAが有効（NBCAが記録されている）と判断し(ＳＴ３０２、ＹＥＳ)、さらにそのディスクにHD DVD/VRコンテンツが記録されていると判断し(ＳＴ３０３）、さらにそのディスクの最大記録速度が３倍速以上（所定記録速度（標準記録速度）の３倍速以上）であると判断すれば(ＳＴ３０４、ＹＥＳ)、３倍速再生に対応しているので、そのディスクに記録されているHD DVD/VRコンテンツを再生する(ＳＴ３０５）。
【００５７】
制御部２６は、セットされたディスクのNBCAが有効（NBCAが記録されている）と判断したものの(ＳＴ３０２、ＹＥＳ)、そのディスクの最大記録速度が３倍速より小さい記録速度のディスクであると判断した場合には(ＳＴ３０４、ＮＯ)、そのディスクに３倍速再生に対応した識別情報が記録されていることを条件として(ＳＴ３０６、ＹＥＳ)、このディスクに記録されたHD DVD/VRのコンテンツを再生する(ＳＴ３０５）。制御部２６が、ディスクに３倍速再生に対応した識別情報が記録されていないと判断した場合には(ＳＴ３０６、ＮＯ)、３倍速再生が保証されていないため、HD DVD/VRのコンテンツの再生で問題が発生する可能性がある。よって、制御部２６は、セットされたディスクのNBCAが有効（NBCAが記録されている）と判断し(ＳＴ３０２、ＹＥＳ)、そのディスクの最大記録速度が３倍速より小さい記録速度のディスクであると判断し(ＳＴ３０４、ＮＯ)、さらにそのディスクに３倍速再生に対応した識別情報が記録されていないと判断すると(ＳＴ３０６、ＮＯ)、、このディスクに記録されたHD DVD/VRのコンテンツは再生しない(ＳＴ３０７）。
【００５８】
なお、３倍速再生に対応した識別情報は、ディスクの物理フォーマット情報としてディスクにあらかじめ記録されている、またはエンボスで記録されていることが望ましい。
【００５９】
例えば、以下のようなビットにより、３倍速再生、１倍速再生を示す識別情報が記録される。
【００６０】
1b:３倍速再生
0b:１倍速再生
或いは、
1b:３倍速再生及び１倍速再生
0b:１倍速再生
DVD-RAMディスクには、NBCAは存在しない。代わりにBCAが存在する。よって、情報記録再生装置は、DVD-RAMディスクに対してHD DVD/VRコンテンツを記録したり、DVD-RAMディスクに記録されたHD DVD/VRコンテンツを再生する場合には、上記説明したNBCAフラグの代わりに、BCAフラグの有無を検出する。これにより、本実施形態の情報記録再生装置は、DVD-R/RWディスクに限らず、DVD-RAMディスクに対してもHD DVD/VRコンテンツを記録したり、DVD-RAMディスクに記録されたHD DVD/VRコンテンツを再生したりすることができる。
【００６１】
次に、最大データ転送速度について説明する。ディスクの物理フォーマット情報として、最大データ転送速度が規格で規定されている。DVD-R/RWディスクの場合は、後からユーザデータが記録される。このため、DVD-R/RWディスクでは、ディスクの最大データ転送速度は規定されていない。例えば、データ転送レートを示すフラグは４ビットで構成される。
【００６２】
0010b : 10.08 Mbps （１倍速再生相当）
1111b : 規定せず  
３倍速再生が可能なDVD-R/RWディスクに限り、３倍速再生相当の最大データ転送レートを設定するようにしてもよい。
【００６３】
なお、上記説明では、HD DVD/VRコンテンツの記録再生の条件の一つとして、３倍速以上のサポートを挙げたが、本実施形態はこれに限定されるものではない。例えば、HD DVD/VRコンテンツであっても、２倍速再生で十分なコンテンツもある。つまり、HD DVD/VRコンテンツの記録再生の条件の一つとして、２倍速再生相当の最大データ転送レートを設定するようにしてもよい。
【００６４】
0010b : 10.08 Mbps （１倍速再生相当） 
0011b : 20.16 Mbps （２倍速再生相当）
0100b : 30.24 Mbps （３倍速再生相当）
1111b : 規定せず  
このディスクの最大データ転送速度のフラグを、３倍速再生のフラグとして用いることも可能である。
【００６５】
本実施形態の情報記録再生装置は、３倍速より大きい記録速度のディスクにHD DVD/VRコンテンツを記録するとき、３倍速よりも大きい記録速度でディスクに記録することも可能である。
【００６６】
例えば、情報記録再生装置は、８倍速記録対応のディスクに３倍速再生のコンテンツを８倍速で記録してもよい。情報記録再生装置のバッファメモリにコンテンツのデータを所定量蓄積し、８倍速で記録する。バッファメモリの蓄積データがなくなればデータがたまるまで待って８倍速で記録する。このようにバッファメモリにデータが蓄積するのを待って断続的に記録することで、３倍速よりも高速でデータを記録することが可能となる。
【００６７】
或いは、情報記録再生装置が、ハードディスクドライブ部１４にHD DVD/VRコンテンツを一時記憶しておくことができる。ハードディスクドライブ部１４にHD DVD/VRコンテンツが記録されていれば、そのHD DVD/VRコンテンツを３倍速より大きいデータ転送速度で光ディスクに記録することができる。
【００６８】
例えば、８倍速記録のディスクに対してハードディスクドライブ部１４に記録されたHD DVD/VRコンテンツを８倍速相当でデータ転送することで、８倍速記録でディスクにHD DVD/VRコンテンツを記録できる。この場合も、そのディスクはNBCAが有効である必要がある。
【００６９】
本実施形態により、DVD-R/RW/RAMディスクにHD DVDのコンテンツを適切に記録することが可能となる。また、DVD-R/RW/RAMディスクに記録されたHD DVDのコンテンツを適切に再生することが可能となる。
【００７０】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００７１】
【図１】図１は、本実施形態の情報記録再生装置による３倍速再生の線速度とデータの転送速度の関係を示す図である。
【図２】図２は、本実施形態の情報記録再生装置のデータ再生回路の一例を示す図である。
【図３】図３は、３倍速再生のときのイコライザー特性の一例を示す図である。
【図４】図４は、本実施形態の情報記録再生装置の３倍速再生用サーボ回路の一例を示す図である。
【図５】図５は、３倍速再生用の軸方向のフォーカスサーボ特性の一例を示す図である。
【図６】図６は、半径方向のトラッキングサーボ特性の一例を示す図である。
【図７】図７は、本実施形態の情報記録再生装置による３倍速記録が可能なディスク判別処理の一例を示す図である。
【図８】図８は、本実施形態の情報記録再生装置による３倍速記録より小さい記録速度しかサポートしていないディスクに対するHD DVD/VRコンテンツの記録処理を示すフローチャートである。
【図９】図９は、本実施形態の情報記録再生装置によるディスクに記録されたHD DVD/VRコンテンツの再生処理を示すフローチャートである。
【図１０】本実施形態の情報記録再生装置の概略構成を示す図である。
【符号の説明】
【００７２】
１２…ディスクドライブ部、１４…ハードディスクドライブ部、１６…データプロセッサ部、１８…信号入力部、２０…エンコーダ部、２２…フォーマッタ、２４…バッファメモリ、２６…制御部、２８…表示部、３０…操作入力部、３２…ネットワークインターフェース、３４…ＳＴＣ（システムタイムクロック）、３６…デコーダ部、３８…信号出力部、１０１…４分割光検出器、１０２…増幅器、１０３…ＡＣカップリング、１０４…イコライザー、１０５…ローパスフィルタ、１０６…レベル検出器、１０７…位相検出器、１０８…復調器、１０９…ジッタ測定器、２０１ａ、２０１ｂ…増幅器、２０２ａ、２０２ｂ…イコライザー、２０３ａ、２０３ｂ…レベル比較器、２０４…位相比較器、２０５ａ、２０５ｂ…ローパスフィルター、２０６…差動増幅器
【図１】
2008276877.tif 000003
【図２】
2008276877.tif 000004
【図３】
2008276877.tif 000005
【図４】
2008276877.tif 000006
【図５】
2008276877.tif 000007
【図６】
2008276877.tif 000008
【図７】
2008276877.tif 000009
【図８】
2008276877.tif 000010
【図９】
2008276877.tif 000011
【図１０】
2008276877.tif 000012